(57)【要約】【課題】浴槽水を加熱すべき場合に、従来に比べて短期間で浴槽水を所望の温度まで加熱することができる技術を開示する。【解決手段】給湯システムは、浴槽水を蓄える浴槽と、浴槽水を循環させる浴槽水循環路と、ガスを燃焼させて熱を発生させるバーナと、バーナが発生させる熱を利用して浴槽水循環路内の浴槽水を加熱するバーナ熱交換器と、ヒートポンプユニットと、備え、ヒートポンプユニットは、冷媒を循環させるための冷媒循環路と、冷媒を圧縮する圧縮機と、冷媒循環路内の冷媒と浴槽水循環路内の浴槽水との間で熱交換を行うとともに、バーナ熱交換器と直列に接続される浴槽水熱交換器と、冷媒と外気との間で熱交換を行う外気熱交換器と、冷媒を減圧する膨張弁と、を備え、圧縮機、浴槽水熱交換器、膨張弁、外気熱交換器の順に冷媒循環路内の冷媒を循環させることを含む浴槽水加熱運転を実行する。【選択図】  図１
2018162945.tif 000002
【特許請求の範囲】
【請求項１】
給湯システムであって、
浴槽水を蓄える浴槽と、
前記浴槽水を循環させる浴槽水循環路と、
ガスを燃焼させて熱を発生させるバーナと、
前記バーナが発生させる熱を利用して前記浴槽水循環路内の前記浴槽水を加熱するバーナ熱交換器と、
ヒートポンプユニットと、備えており、
前記ヒートポンプユニットは、
冷媒を循環させるための冷媒循環路と、
前記冷媒を圧縮する圧縮機と、
前記冷媒循環路内の前記冷媒と前記浴槽水循環路内の前記浴槽水との間で熱交換を行うとともに、前記バーナ熱交換器と直列に接続される浴槽水熱交換器と、
前記冷媒と外気との間で熱交換を行う外気熱交換器と、
前記冷媒を減圧する膨張弁と、を備え、
前記圧縮機、前記浴槽水熱交換器、前記膨張弁、前記外気熱交換器の順に前記冷媒循環路内の前記冷媒を循環させる浴槽水加熱運転を実行する、
給湯システム。
【請求項２】
前記ヒートポンプユニットは、さらに、
前記圧縮機、前記外気熱交換器の順に前記冷媒循環路内の前記冷媒を循環させる除霜運転を実行する、
請求項１に記載の給湯システム。
【請求項３】
給湯水を蓄えるタンクと、
給湯水を循環させる給湯水循環路と、をさらに備え、
前記ヒートポンプユニットは、さらに、
前記冷媒循環路内の前記冷媒と前記給湯水循環路内の前記給湯水との間で熱交換を行う給湯水熱交換器と、を備え、
前記圧縮機、前記給湯水熱交換器、前記膨張弁、前記浴槽水熱交換器の順に前記冷媒循環路内の前記冷媒を循環させる給湯水加熱運転を実行する、
請求項１又は２に記載の給湯システム。
【発明の詳細な説明】
【技術分野】
【０００１】
本発明は、給湯システムに関する。
【背景技術】
【０００２】
特許文献１には、給湯水を蓄えるタンクと、浴槽水を蓄える浴槽と、ヒートポンプユニットとを備える給湯システムが開示されている。ヒートポンプユニットは、冷媒を循環させるための冷媒循環路と、冷媒を圧縮する圧縮機と、冷媒と前記給湯水との間で熱交換を行う給湯水熱交換器と、冷媒と浴槽水との間で熱交換を行う浴槽水熱交換器と、冷媒と外気との間で熱交換を行う外気熱交換器と、冷媒を減圧する膨張弁と、を備える。さらに、ヒートポンプユニットは、浴槽システムの運転モードに応じて冷媒の循環経路を切り替える切替器を備える。
【０００３】
（ｉ）外気熱を用いて給湯水を加熱する給湯水加熱モードでは、切替器は、圧縮機、給湯水熱交換器、膨張弁、外気熱交換器の順で冷媒を循環させる。（ｉｉ）浴槽水の予熱を用いて給湯水を加熱する熱回収モードでは、切替器は、圧縮機、給湯水熱交換器、膨張弁、外気熱交換器、浴槽水熱交換器の順で冷媒を循環させる。（ｉｉｉ）外気熱を用いて、浴槽水と給湯水のうちの少なくとも浴槽水を加熱する追い焚きモードでは、切替器は、圧縮機、給湯水熱交換器、浴槽水熱交換器、膨張弁、外気熱交換器の順で冷媒を循環させる。
【先行技術文献】
【特許文献】
【０００４】
【特許文献１】特開２００１−９１０９６号公報
【発明の概要】
【発明が解決しようとする課題】
【０００５】
特許文献１の給湯システムでは、上記（ｉｉｉ）の追い焚きモードで運転が行われる場合、外気熱のみを熱源として浴槽水の加熱が行われる。外気から回収される熱の熱量は、外気温等の要因に応じて変化する。そのため、浴槽水が所望の温度に加熱されるまでに長期間を要する場合もある。
【０００６】
本明細書では、浴槽水を加熱すべき場合に、従来に比べて短期間で浴槽水を所望の温度まで加熱することができる技術を開示する。
【課題を解決するための手段】
【０００７】
本明細書が開示する給湯システムは、浴槽水を蓄える浴槽と、前記浴槽水を循環させる浴槽水循環路と、ガスを燃焼させて熱を発生させるバーナと、前記バーナが発生させる熱を利用して前記浴槽水循環路内の前記浴槽水を加熱するバーナ熱交換器と、ヒートポンプユニットと、備えており、前記ヒートポンプユニットは、冷媒を循環させるための冷媒循環路と、前記冷媒を圧縮する圧縮機と、前記冷媒循環路内の前記冷媒と前記浴槽水循環路内の前記浴槽水との間で熱交換を行うとともに、前記バーナ熱交換器と直列に接続される浴槽水熱交換器と、前記冷媒と外気との間で熱交換を行う外気熱交換器と、前記冷媒を減圧する膨張弁と、を備え、前記圧縮機、前記浴槽水熱交換器、前記膨張弁、前記外気熱交換器の順に前記冷媒循環路内の前記冷媒を循環させる浴槽水加熱運転を実行する。
【０００８】
上記の給湯システムは、浴槽水循環路中に、浴槽水熱交換器に加えて、バーナが発生させるガスの燃焼熱を利用して浴槽水循環路中の浴槽水を加熱するとともに、浴槽水熱交換器に直列に接続されているバーナ熱交換器を備える。一般的に、ガスを燃焼させて発生する熱の単位時間当たりの熱量は、外気から回収される熱の単位時間当たりの熱量よりも大きい。そのため、ヒートポンプユニットが浴槽水加熱運転を実行している間に、バーナ及びバーナ熱交換器を併用して浴槽水を加熱すれば、外気熱のみを熱源として利用して浴槽水を加熱する従来の構成と比べて、浴槽水を所望の温度まで短期間で加熱することができる。従って、上記の給湯システムによると、浴槽水を加熱すべき場合に、従来に比べて短期間で浴槽水を所望の温度まで加熱することができる。
【０００９】
前記ヒートポンプユニットは、さらに、前記圧縮機、前記外気熱交換器の順に前記冷媒循環路内の前記冷媒を循環させる除霜運転を実行することが好ましい。
【００１０】
この構成によると、ヒートポンプユニットが除霜運転を実行することで、外気熱交換器に高温の冷媒を供給することができ、外気熱交換器に付着した霜を取り除くことができる。また、ヒートポンプユニットが除霜運転を実行している間は、前記浴槽水熱交換器には高温の冷媒が供給されないが、バーナを作動させれば、除霜運転の実行中であっても浴槽水の加熱を行うことができる。
【００１１】
前記給湯システムは、給湯水を蓄えるタンクと、給湯水を循環させる給湯水循環路と、をさらに備えることが好ましい。前記ヒートポンプユニットは、さらに、前記冷媒循環路内の前記冷媒と前記給湯水循環路内の前記給湯水との間で熱交換を行う給湯水熱交換器と、を備え、前記圧縮機、前記給湯水熱交換器、前記膨張弁、前記浴槽水熱交換器の順に前記冷媒循環路内の前記冷媒を循環させる給湯水加熱運転を実行することが好ましい。
【００１２】
この構成によると、ヒートポンプユニットが給湯水加熱運転を実行することにより、浴槽水の熱を熱源として給湯水を加熱することができる。また、この際、バーナを作動させれば、バーナ及びバーナ熱交換器によって加熱された浴槽水の熱を利用して給湯水を加熱することもできる。
【図面の簡単な説明】
【００１３】
【図１】第１実施例の給湯システム２の構成を模式的に示す図。
【図２】第１実施例の各運転モードにおける各要素の状態を説明する表。
【図３】第１実施例の外気熱貯湯モードにおける動作を模式的に示す図。
【図４】第１実施例の浴槽熱貯湯モードにおける動作を模式的に示す図。
【図５】第１実施例の追い焚きモードにおける動作を模式的に示す図。
【図６】第１実施例の除霜モードにおける動作を模式的に示す図。
【図７】第２実施例の給湯システム１０２の構成を模式的に示す図。
【図８】第２実施例の各運転モードにおける各要素の状態を説明する表。
【図９】第２実施例の外気熱貯湯モードにおける動作を模式的に示す図。
【図１０】第２実施例の浴槽熱貯湯モードにおける動作を模式的に示す図。
【図１１】第２実施例の追い焚きモードにおける動作を模式的に示す図。
【図１２】第２実施例の除霜モードにおける動作を模式的に示す図。
【発明を実施するための形態】
【００１４】
（第１実施例）
（システム構成；図１）
図１に示すように、本実施例の給湯システム２は、タンクユニット１０と、ヒートポンプユニット３０と、浴槽ユニット７０と、バーナユニット８０と、コントローラ１００と、を備えている。
【００１５】
タンクユニット１０は、給湯用の温水を蓄えるとともに必要な箇所に供給するための給湯ユニットである。タンクユニット１０は、タンク１２と、給水経路１４と、出湯経路１６と、タンク循環路１８と、タンクポンプ２０と、を備えている。タンク１２は、外側が断熱材で覆われており、内部に給湯用の水（以下「給湯水」と呼ぶ）を蓄える密閉型の容器である。タンク１２は、ヒートポンプユニット３０の給湯水熱交換器３６における冷媒との熱交換によって加熱された給湯水を蓄える。タンク１２の容積は１００Ｌである。
【００１６】
タンク循環路１８は、タンク１２の底部から給湯水を導出し、タンク１２の頂部に戻す循環経路である。タンク循環路１８は、ヒートポンプユニット３０の給湯水熱交換器３６を通過している。タンクポンプ２０は、タンク循環路１８内に設けられている。タンクポンプ２０を動作させると、タンク１２の底部から給湯水が吸い出されて給湯水熱交換器３６に送られる。給湯水熱交換器３６における冷媒との熱交換によって加熱されて高温となった給湯水は、タンク１２の頂部からタンク１２内に戻される。加熱後の高温の給湯水がタンク１２に流れ込むと、タンク１２の内部には、低温の給湯水の層の上に高温の給湯水の層が積み重なった温度成層が形成される。
【００１７】
給水経路１４は、タンク１２の底部に接続されている。給水経路１４を介して、タンク１２の底部に水道水が供給される。出湯経路１６は、タンク１２の頂部に接続されている。出湯経路１６を介して、タンク１２内の温水が、所望の給湯箇所（例えば浴槽７２）に供給される。
【００１８】
ヒートポンプユニット３０は、外気から吸熱してタンク１２内の給湯水及び浴槽７２内の水（以下「浴槽水」と呼ぶ）を加熱するための加熱ユニットである。ヒートポンプユニット３０は、冷媒循環路３２と、圧縮機３４と、給湯水熱交換器３６と、第１膨張弁３８と、第１逆止弁４０と、第２膨張弁４２と、外気熱交換器４４と、ファン４６と、浴槽水熱交換器４８と、バイパス路５０と、開閉弁５２と、第２逆止弁５４と、第１四方弁６０と、第２四方弁６２と、を備える。
【００１９】
冷媒循環路３２は、冷媒（例えばフロン系冷媒）を循環させる経路である。圧縮機３４は冷媒を圧縮して高温高圧化するコンプレッサーである。給湯水熱交換器３６は、冷媒循環路３２内の冷媒と、上記のタンク循環路１８内の給湯水との間で熱交換を行う熱交換器である。給湯水熱交換器３６はヒートポンプユニット３０において凝縮器として機能する。第１膨張弁３８は冷媒を減圧して低温低圧化する膨張弁である。第１膨張弁３８はその開度を調整可能である。第１膨張弁３８は、その開度を、冷媒が通過不可能な全閉状態と、冷媒の減圧制御が可能な制御状態と、冷媒を減圧することなく通過させる全開状態と、の間で調節することができる。第１逆止弁４０は、第１膨張弁３８と並列に設けられている。第１逆止弁４０は、第２四方弁６２から外気熱交換器４４に向かう方向に流れる冷媒は通過させないが、外気熱交換器４４から第２四方弁６２に向かう方向に流れる冷媒は通過させる。
【００２０】
第２膨張弁４２は、外気熱交換器４４と浴槽水熱交換器４８の間に設けられている。第２膨張弁４２も、第１膨張弁３８と同様の膨張弁である。外気熱交換器４４は、冷媒循環路３２内の冷媒と外気の間で熱交換を行なう熱交換器である。外気熱交換器４４は、ヒートポンプユニット３０において蒸発器として機能する。即ち、外気熱交換器４４では、冷媒は外気から熱を回収する。ファン４６は、外気熱交換器４４の近傍に設けられており、外気熱交換器４４に外側から風を送る。ファン４６が運転している間は、外気熱交換器４４において外気熱の回収が行われるが、ファン４６が停止している間は、外気熱交換器４４において外気熱の回収が殆ど行われない。
【００２１】
浴槽水熱交換器４８は、冷媒循環路３２内の冷媒と後述の浴槽水循環路７４内の浴槽水との間で熱交換を行う熱交換器である。浴槽水熱交換器４８では、運転モードに応じて、冷媒の熱を利用して浴槽水を加熱する場合と、浴槽水の熱を利用して冷媒を加熱する場合と、が切り替わる。即ち、浴槽水熱交換器４８は、ヒートポンプユニット３０において、凝縮器としても蒸発器としても機能する。
【００２２】
バイパス路５０は、第２膨張弁４２及び浴槽水熱交換器４８をバイパスするための経路である。バイパス路５０の一端（図中の左側端部）は、冷媒循環路３２のうちの第２膨張弁４２と外気熱交換器４４との間の部分に接続され、他端（図中の右側端部）は、冷媒循環路３２のうちの浴槽水熱交換器４８と第２四方弁６２との間の部分に接続される。開閉弁５２は、バイパス路５０に介装されており、バイパス路５０を開閉するための電磁弁である。第２逆止弁５４は、バイパス路５０に介装されており、バイパス路５０の一端から他端に向かう方向に流れる冷媒は通過させるが、他端から一端に向かう方向に流れる冷媒は通過させない。
【００２３】
第１四方弁６０は、冷媒循環路３２内の冷媒の循環経路を切り替える四方弁である。第１四方弁６０は、圧縮機３４の出口と給湯水熱交換器３６の一端側とを接続するとともに、給湯水熱交換器３６の他端側と第２四方弁６２とを接続する状態（即ち図１中のａとｂが接続されるとともにｃとｄが接続される状態。以下では「ａ−ｂ，ｃ−ｄ状態」と呼ぶ）と、圧縮機３４の出口と第２四方弁６２とを接続するとともに、給湯水熱交換器３６の両端を接続する（即ち給湯水熱交換器３６を冷媒の循環経路から外す）状態（即ち図１中のａとｄが接続されるとともにｂとｃが接続される状態。以下では「ａ−ｄ，ｂ−ｃ状態」と呼ぶ）と、を切り替え可能である。
【００２４】
第２四方弁６２も、冷媒循環路３２内の冷媒の循環経路を切り替える四方弁である。第２四方弁６２は、第１四方弁６０と第１膨張弁３８（及び第１逆止弁４０）とを接続するとともに、バイパス路５０の他端（図中の右側端部）と圧縮機３４の入口側とを接続する状態（即ち図１中のｅとｆが接続されるとともにｇとｈが接続される状態。以下では「ｅ−ｆ，ｇ−ｈ状態」と呼ぶ）と、第１四方弁６０とバイパス路５０の他端とを接続するとともに、第１膨張弁３８（及び第１逆止弁４０）と圧縮機３４の入口側とを接続する状態（即ち図１中のｅとｈが接続されるとともにｆとｇが接続される状態。以下では「ｅ−ｈ，ｆ−ｇ状態」と呼ぶ）と、を切り替え可能である。
【００２５】
浴槽ユニット７０は、浴槽７２に貯めた浴槽水を加熱、又は、浴槽水から熱回収するための風呂ユニットである。浴槽ユニット７０は、浴槽７２と、浴槽水循環路７４と、浴槽ポンプ７６と、バーナ熱交換器７８と、を備える。
【００２６】
浴槽７２は、浴槽水を貯める容器である。浴槽水循環路７４は、浴槽水を循環させる循環経路である。浴槽ポンプ７６は、浴槽水循環路７４内に設けられている。浴槽ポンプ７６を動作させると、浴槽水が浴槽７２から導出され、浴槽水循環路７４内を循環して浴槽７２に戻される。バーナ熱交換器７８は、浴槽水循環路７４内の浴槽水と、後述のバーナユニット８０の熱媒循環路８４内の熱媒（例えば不凍液）と、の間で熱交換を行う熱交換器である。
【００２７】
バーナユニット８０は、バーナ８２を用いて浴槽水を加熱するための加熱ユニットである。バーナユニット８０は、バーナ８２と、熱媒循環路８４と、バーナポンプ８６と、を備える。バーナ８２は、ガスを燃焼させて熱を発生させる熱源機である。バーナ８２を動作させることにより、熱媒循環路８４内の熱媒を加熱することができる。熱媒循環路８４は、熱媒を循環させる経路である。バーナポンプ８６は、熱媒循環路８４内に設けられている。バーナポンプ８６を動作させると、熱媒循環路８４内の熱媒が循環する。
【００２８】
コントローラ１００は、給湯システム２の各構成要素の動作を制御する制御装置である。
【００２９】
（給湯システム２の動作；図２〜図６）
次いで、図２〜図６を参照して、本実施例の給湯システム２の動作について説明する。給湯システム２は、外気熱貯湯モード（図３）、浴槽熱貯湯モード（図４）、追い焚きモード（図５）、除霜モード（図６）の４つの運転モードで動作することができる。以下、各運転モードについて説明する。
【００３０】
（外気熱貯湯モード；図２、図３）
外気熱貯湯モードは、外気熱を熱源として利用して、給湯水を加熱する運転モードである。図２に示すように、外気熱貯湯モードによる運転が指示されると、コントローラ１００は、タンクポンプ２０を動作させるとともに、圧縮機３４を動作させる。コントローラ１００は、浴槽ポンプ７６は動作させない。また、コントローラ１００は、第１四方弁６０をａ−ｂ，ｃ−ｄ状態に切り替えるとともに、第２四方弁６２をｅ−ｆ，ｇ−ｈ状態に切り替える。そして、コントローラ１００は、ファン４６の運転を開始する。また、コントローラ１００は、第１膨張弁３８の開度を制御状態に調整するとともに、第２膨張弁４２を閉じる。そして、コントローラ１００は、開閉弁５２を開く。以上の各処理が行われると、外気熱貯湯モードによる運転が開始される。
【００３１】
図３は、外気熱貯湯モードの運転が行われている間の冷媒及び給湯水の動きを示す。図３に示すように、ヒートポンプユニット３０では、圧縮機３４で圧縮された後の高温高圧の冷媒が、第１四方弁６０を通過して給湯水熱交換器３６に供給される。給湯水熱交換器３６では、高温高圧の冷媒は、タンク循環路１８内の給湯水と熱交換を行う。これにより、給湯水が加熱される。給湯水熱交換器３６で熱交換を終えた（即ち給湯水を加熱した）後の冷媒は、第１四方弁６０、第２四方弁６２を通過して、第１膨張弁３８によって減圧される。第１膨張弁３８で減圧された後の低温低圧の冷媒は、外気熱交換器４４に供給される。ファン４６の運転に伴い、外気熱交換器４４では、冷媒と外気との間で熱交換が行われる。これにより、冷媒は外気熱を回収する。外気熱交換器４４で外気熱を回収した後の冷媒は、バイパス路５０、第２四方弁６２を経由して圧縮機３４に供給され、再び圧縮機３４で圧縮される。
【００３２】
一方、タンクユニット１０では、タンクポンプ２０の運転に伴い、タンク１２の底部から低温の給湯水がタンク循環路１８内に導出され、給湯水熱交換器３６に供給される。上記の通り、給湯水熱交換器３６では、タンク循環路１８内の給湯水と、高温高圧の冷媒との間で熱交換が行われ、その結果給湯水が加熱されて高温になる。加熱後の高温の給湯水は、タンク１２の頂部に戻される。外気熱貯湯モードでは、以上の運転が繰り返されることにより、タンク１２内に高温の給湯水が貯湯される。
【００３３】
（浴槽熱貯湯モード；図２、図４）
浴槽熱貯湯モードは、浴槽水の熱（以下では「浴槽熱」と呼ぶ場合がある）を熱源として利用して、給湯水を加熱する運転モードである。浴槽熱貯湯モードでは、外気熱を熱源として利用しない。図２に示すように、浴槽熱貯湯モードによる運転が指示されると、コントローラ１００は、タンクポンプ２０を動作させるとともに、圧縮機３４を動作させる。また、コントローラ１００は、浴槽ポンプ７６も動作させる。コントローラ１００は、第１四方弁６０をａ−ｂ，ｃ−ｄ状態に切り替えるとともに、第２四方弁６２をｅ−ｆ，ｇ−ｈ状態に切り替える。そして、コントローラ１００は、ファン４６を動作させない。さらに、コントローラ１００は、第１膨張弁３８の開度を全開状態（即ち減圧を行なえない状態）に調整するとともに、第２膨張弁４２の開度を制御状態に調整する。さらに、コントローラ１００は、開閉弁５２を閉じる。以上の各処理が行われると、浴槽熱貯湯モードによる運転が開始される。
【００３４】
図４は、浴槽熱貯湯モードの運転が行われている間の冷媒、給湯水及び浴槽水の動きを示す。図４に示すように、ヒートポンプユニット３０では、圧縮機３４で圧縮された後の高温高圧の冷媒が、第１四方弁６０を通過して給湯水熱交換器３６に供給される。給湯水熱交換器３６では、高温高圧の冷媒は、タンク循環路１８内の給湯水と熱交換を行う。これにより、給湯水が加熱される。給湯水熱交換器３６で熱交換を終えた（即ち給湯水を加熱した）後の冷媒は、第１四方弁６０、第２四方弁６２、第１膨張弁３８、外気熱交換器４４を通過し、第２膨張弁４２で減圧される。このとき、第１膨張弁３８はその開度が全開状態であるため、第１膨張弁３８では減圧は行われない。また、ファン４６が停止しているため、外気熱交換器４４における外気熱の回収も殆ど行われない。第２膨張弁４２で減圧された後の低温低圧の冷媒は、浴槽水熱交換器４８に供給される。浴槽水熱交換器４８では、冷媒と浴槽水との間で熱交換が行われる。これにより、冷媒は浴槽熱を回収する。浴槽水熱交換器４８で浴槽熱を回収した後の冷媒は、第２四方弁６２を経由して圧縮機３４に供給され、再び圧縮機３４で圧縮される。
【００３５】
一方、タンクユニット１０では、タンクポンプ２０の運転に伴い、タンク１２の底部から低温の給湯水がタンク循環路１８内に導出され、給湯水熱交換器３６に供給される。上記の通り、給湯水熱交換器３６では、タンク循環路１８内の給湯水と、高温高圧の冷媒との間で熱交換が行われ、その結果給湯水が加熱されて高温になる。加熱後の高温の給湯水は、タンク１２の頂部に戻される。
【００３６】
そして、浴槽ユニット７０では、浴槽ポンプ７６の運転に伴い、浴槽水が浴槽７２から導出され、浴槽水循環路７４内を循環する。浴槽水循環路７４内を循環する浴槽水は、浴槽水熱交換器４８を通過する際に、冷媒との間で熱交換を行なう。これにより、浴槽水は冷媒に熱を奪われて低温になる。低温になった浴槽水は浴槽７２に戻される。この運転が繰り返されることにより、浴槽７２内の浴槽水の熱が順次回収され、浴槽熱によって加熱された高温の給湯水がタンク１２内に貯湯される。
【００３７】
なお、図２中の説明文に示すように、コントローラ１００は、浴槽熱では給湯水の加熱を十分に行えない等の状況下では、必要に応じて、バーナ８２及びバーナポンプ８６を作動させることができる。これにより、図４に示すように、熱媒循環路８４内で熱媒が循環するとともに、バーナ８２によって熱媒が加熱される。これにより、バーナ熱交換器７８において高温の熱媒と浴槽水との間で熱交換が行われ、浴槽水が加熱される。加熱された浴槽水の熱は、浴槽水熱交換器４８における冷媒との熱交換によって冷媒に与えられる。即ち、本実施例では、浴槽水貯湯モードで運転が行われる間に、必要に応じてバーナ８２を補助熱源機として使用して給湯水を加熱することもできる。
【００３８】
（追い焚きモード；図２、図５）
追い焚きモードは、外気熱を熱源として利用して、浴槽熱を加熱する運転モードである。図２に示すように、追い焚きモードによる運転が指示されると、コントローラ１００は、浴槽ポンプ７６を運転させるとともに、圧縮機３４を運転させる。コントローラ１００は、タンクポンプ２０は運転させない。また、コントローラ１００は、第１四方弁６０をａ−ｄ，ｂ−ｃ状態に切り替えるとともに、第２四方弁６２をｅ−ｈ，ｆ−ｇ状態に切り替える。そして、コントローラ１００は、ファン４６の運転を開始する。また、コントローラ１００は、第１膨張弁３８の開度を全開状態に調整するとともに、第２膨張弁４２の開度を制御状態に調整する。そして、コントローラ１００は、開閉弁５２を閉じる。以上の各処理が行われると、追い焚きモードによる運転が開始される。
【００３９】
図５は、追い焚きモードの運転が行われている間の冷媒及び浴槽水の動きを示す。図５に示すように、ヒートポンプユニット３０では、圧縮機３４で圧縮された後の高温高圧の冷媒が、第１四方弁６０及び第２四方弁６２を通過して浴槽水熱交換器４８に供給される。浴槽水熱交換器４８では、高温高圧の冷媒は、浴槽水循環路７４内の浴槽水と熱交換を行う。これにより、浴槽水が加熱される。浴槽水熱交換器４８で熱交換を終えた（即ち浴槽水を加熱した）後の冷媒は、第２膨張弁４２によって減圧される。第２膨張弁４２で減圧された後の低温低圧の冷媒は、外気熱交換器４４に供給される。ファン４６の運転に伴い、外気熱交換器４４では、冷媒と外気との間で熱交換が行われる。これにより、冷媒は外気熱を回収する。外気熱交換器４４で外気熱を回収した後の冷媒は、第１膨張弁３８（及び第１逆止弁４０）、第２四方弁６２を経由して圧縮機３４に供給され、再び圧縮機３４で圧縮される。この際、上記の通り第１膨張弁３８は全開状態であるため、第１膨張弁３８では冷媒は減圧されない。
【００４０】
一方、浴槽ユニット７０では、浴槽ポンプ７６の運転に伴い、浴槽水が浴槽７２から導出され、浴槽水循環路７４内を循環する。浴槽水循環路７４内を循環する浴槽水は、浴槽水熱交換器４８を通過する際に、高温高圧の冷媒との間で熱交換を行なう。その結果、浴槽水が加熱されて高温になる。加熱後の高温の浴槽水は、浴槽７２に戻される。この運転が繰り返されることにより、外気熱によって加熱された高温の浴槽水が浴槽７２に貯められていく。そして、浴槽７２内の浴槽水の温度が上昇する。
【００４１】
なお、図２中の説明文に示すように、コントローラ１００は、外気熱では浴槽水の加熱を十分に行えない等の状況下では、必要に応じて、バーナ８２及びバーナポンプ８６を作動させることができる。これにより、図５に示すように、熱媒循環路８４内で熱媒が循環するとともに、バーナ８２によって熱媒が加熱される。これにより、バーナ熱交換器７８において高温の熱媒と浴槽水との間で熱交換が行われ、浴槽水が加熱される。即ち、本実施例では、追い焚きモードで運転が行われる間に、必要に応じてバーナ８２を補助熱源機として使用して浴槽水を加熱することもできる。
【００４２】
（除霜モード；図２、図６）
除霜モードは、外気熱交換器４４において継続して外気熱の回収が行われた結果、外気熱交換器４４の表面に霜が付着した場合において、その霜を融解させて取り除くための運転モードである。除霜モードは、例えば外気熱交換器４４の温度が所定の閾値以下に低下する場合に開始される。図２に示すように、除霜モードによる運転が指示されると、コントローラ１００は、圧縮機３４を運転させる。この場合、コントローラ１００は、タンクポンプ２０、浴槽ポンプ７６、ファン４６を運転させない。また、コントローラ１００は、第１四方弁６０をａ−ｄ、ｂ−ｃ状態に切り替えるとともに、第２四方弁６２をｅ−ｆ、ｇ−ｈ状態に切り替える。また、コントローラ１００は、第１膨張弁３８の開度を全開状態に調整するとともに、第２膨張弁４２を閉じる。そして、コントローラ１００は、開閉弁５２を開く。以上の各処理が行われると、除霜モードによる運転が開始される。
【００４３】
図６は、除霜モードの運転が行われている間の冷媒の動きを示す。図６に示すように、ヒートポンプユニット３０では、圧縮機３４で圧縮された後の高温高圧の冷媒が、第１四方弁６０、第２四方弁６２、及び第１膨張弁３８を通過して外気熱交換器４４に供給される。第１膨張弁３８は全開状態であるため、減圧は行われない。高温高圧の冷媒が外気熱交換器４４に供給されることにより、外気熱交換器４４の温度が上昇し、外気熱交換器４４の外側に付着した霜が融解される。外気熱交換器４４で霜を融解したことによって低温になった冷媒は、バイパス路５０を通過し、第２四方弁６２を経由して圧縮機３４に供給され、再び圧縮機３４で圧縮される。以上の運転を繰り返すことにより、外気熱交換器４４に付着された霜が取り除かれる。
【００４４】
なお、図２中の説明文に示すように、除霜モードで運転中に浴槽水の加熱（即ち追い焚き）を同時に行うべき場合には、コントローラ１００は、浴槽ポンプ７６、バーナ８２、バーナポンプ８６をさらに作動させることができる。図６に示すように、浴槽ポンプ７６の運転に伴い、浴槽水が浴槽水循環路７４内を循環する。そして、バーナポンプ８６の運転に伴い、熱媒循環路８４内で熱媒が循環する。そして、バーナ８２により、熱媒循環路８４内で循環する熱媒が加熱される。これにより、バーナ熱交換器７８において、高温の熱媒と浴槽水との間で熱交換が行われ、浴槽水が加熱される。即ち、本実施例では、除霜モードで運転が行われる間に、必要に応じてバーナ８２を補助熱源機として使用して浴槽水を加熱することもできる。
【００４５】
以上、本実施例の給湯システム２の構成及び運転内容について説明した。上記の通り、本実施例では、第１四方弁６０によって、冷媒の循環経路を、圧縮機３４で圧縮された後の冷媒が給湯水熱交換器３６に供給される状態（即ちａ−ｂ，ｃ−ｄ状態（図３、図４参照）。「給湯水加熱状態」と言い換えてもよい）と、圧縮機３４で圧縮された後の冷媒が給湯水熱交換器３６に供給されることなく、浴槽水熱交換器４８に供給される状態（即ちａ−ｄ，ｂ−ｃ状態（図５参照）。「浴槽水加熱状態」と言い換えてもよい）と、の間で切り替えることができる。そのため、追い焚きモードの運転において、第１四方弁６０が、浴槽水加熱状態に切り替えられることによって、図５に示すように、圧縮機３４で加熱された後の冷媒が、給湯水熱交換器３６に供給されることなく浴槽水熱交換器４８に供給される。即ち、本実施例の給湯システム２によれば、追い焚きモードの運転時において、給湯水熱交換器３６における放熱ロスが起こることがない。そのため、外気熱を用いて浴槽熱を加熱すべき場合（即ち追い焚きモードの運転をすべき場合）において、圧縮機で圧縮された後の高温の冷媒が、給湯水熱交換器を経由して浴槽水熱交換器に供給される従来の給湯システムと比べて、浴槽水に十分に熱を供給することができる。従って、本実施例の給湯システム２によると、外気熱を用いて浴槽熱を加熱すべき場合に、従来に比べて効率良く浴槽熱を加熱することができる。
【００４６】
本実施例の給湯システム２では、第１四方弁６０をａ−ｂ，ｃ−ｄ状態（「第１状態」と呼び換えてもよい）と、ａ−ｄ，ｂ−ｃ状態（「第２状態」と呼び変えてもよい）との間で切り替えることで、上記の給湯水加熱状態と浴槽水加熱状態とを切り替え可能な構成を採用する。そのため、給湯システム２は、比較的簡易な構成を用いて、給湯水加熱状態と浴槽水加熱状態とを切り替えることができる。
【００４７】
また、本実施例の給湯システム２では、冷媒を循環する経路を切り替えることで、浴槽熱を利用してタンク１２内の給湯水を加熱する浴槽熱貯湯モード（図４参照）と、外気熱を利用してタンク１２内の給湯水を加熱する外気熱貯湯モード（図３参照）と、の双方を実行することができる。本実施例の給湯システム２によると、様々な熱源を利用して給湯水を加熱することができる。
【００４８】
さらに、本実施例の給湯システム２は、浴槽水循環路７４内を循環する浴槽水を、バーナ８２の熱を利用して加熱するためのバーナユニット８０を備える。一般的に、ガスを燃焼させて発生する熱の単位時間当たりの熱量は、外気から回収される外気熱の単位時間当たりの熱量よりも大きい。そのため、図５に示すように、給湯システム２が追い焚きモードで運転を行っている間に、バーナ８２及びバーナポンプ８６を同時に運転させて浴槽水を加熱すれば、外気熱のみを熱源として利用して浴槽水を加熱する従来の構成と比べて、浴槽水を所望の温度まで短期間で加熱することができる。従って、本実施例の給湯システム２によると、浴槽水を加熱すべき場合に、従来に比べて短期間で浴槽水を所望の温度まで加熱することができる。
【００４９】
また、本実施例では、図６に示すように、給湯システム２が除霜モードで運転を行うことにより、外気熱交換器４４に高温の冷媒を供給して霜を取り除くことができる。この間、浴槽水熱交換器４８に高温の冷媒を供給することはできないが、浴槽ポンプ７６、バーナ８２及びバーナポンプ８６を同時に運転させることで、除霜の実行中であっても、浴槽水の加熱（即ち追い焚き）を行うことができる。
【００５０】
また、本実施例では、給湯システム２が浴槽熱貯湯モードで運転を行っている間に、バーナ８２及びバーナポンプ８６を同時に運転させて浴槽水を加熱すれば、バーナ８２によって加熱された浴槽水の熱を利用して、タンク１２内の給湯水を加熱することもできる。より短期間でタンク１２内の給湯水を加熱することができる。
【００５１】
（第２実施例；図７〜図１２）
図７〜図１２を参照して、第１実施例と異なる点を中心に説明する。図７に示すように、本実施例の給湯システム１０２は、ヒートポンプユニット１３０が、給湯水熱交換器３６と浴槽水熱交換器４８とを並列的に備える回路構成を有している点が第１実施例とは異なる。図７では、第１実施例と同様の構成は図１と同じ符号を用いて示し、説明を省略する。本実施例では、ヒートポンプユニット１３０は、冷媒循環路１３２と、圧縮機３４と、第１分岐路１３２ａと、第２分岐路１３２ｂと、バイパス路１３３と、給湯水熱交換器３６と、浴槽水熱交換器４８と、第１四方弁１６０と、第２四方弁１６２と、第１膨張弁１３８と、第２膨張弁１４２と、外気熱交換器４４と、ファン４６とを備える。
【００５２】
冷媒循環路１３２は、冷媒を循環させる経路である。本実施例の冷媒循環路１３２は、圧縮機３４の下流側と第１膨張弁１３８の上流側との間において、第１分岐路１３２ａと、第２分岐路１３２ｂと、バイパス路１３３と、の３つの流路に分岐している。第１分岐路１３２ａは、給湯水熱交換器３６を通過しており、給湯水熱交換器３６に冷媒を供給するための分岐路である。第２分岐路１３２ｂは、浴槽水熱交換器４８を通過しており、浴槽水熱交換器４８に冷媒を供給するための分岐路である。バイパス路１３３は、冷媒を通過又は滞留させるための流路である。第１分岐路１３２ａと、第２分岐路１３２ｂと、バイパス路１３３と、は互いに並列に設けられている。即ち、本実施例では、給湯水熱交換器３６と浴槽水熱交換器４８とが並列的に設けられる。
【００５３】
第１四方弁１６０は、第１分岐路１３２ａと、第２分岐路１３２ｂと、バイパス路１３３と、の上流側端部（即ち、圧縮機３４側の端部）に設けられている。第１四方弁１６０は、圧縮機３４の出口側と給湯水熱交換器３６の一端側とを接続するとともに、浴槽水熱交換器４８の一端側とバイパス路１３３の一端側とを接続する状態（即ち、図７中のＡとＢが接続されるとともにＣとＤが接続される状態。以下では「Ａ−Ｂ，Ｃ−Ｄ状態」と呼ぶ）と、圧縮機３４の出口側と浴槽水熱交換器４８の一端側とを接続するとともに、給湯水熱交換器３６の一端側とバイパス路１３３の一端側とを接続する状態（即ち、図７中のＡとＤが接続されるとともにＢとＣが接続される状態。以下では「Ａ−Ｄ，Ｂ−Ｃ状態」と呼ぶ）と、を切り替え可能である。
【００５４】
また、第２四方弁１６２は、第１分岐路１３２ａと、第２分岐路１３２ｂと、バイパス路１３３と、の下流側端部（即ち、第１膨張弁１３８側の端部）に設けられている。第２四方弁１６２は、給湯水熱交換器３６の他端側と第１膨張弁１３８とを接続するとともに、浴槽水熱交換器４８の他端側とバイパス路１３３の他端側とを接続する状態（即ち、図７中のＥとＦが接続されるとともにＧとＨが接続される状態。以下では「Ｅ−Ｆ，Ｇ−Ｈ状態」と呼ぶ）と、浴槽水熱交換器４８の他端側と第１膨張弁１３８とを接続するとともに、給湯水熱交換器３６の他端側とバイパス路１３３の他端側とを接続する状態（即ち、図７中のＥとＨが接続されるとともにＧとＦが接続される状態。以下では「Ｅ−Ｈ，Ｇ−Ｆ状態」と呼ぶ）と、を切り替え可能である。
【００５５】
第１膨張弁１３８は冷媒を減圧して低温低圧化する膨張弁である。第１膨張弁１３８も、その開度を調整可能である。第１膨張弁１３８は、第２四方弁１６２と外気熱交換器４４の間に設けられている。
【００５６】
第２膨張弁１４２も第１膨張弁１３８と同様の膨張弁である。第２膨張弁１４２は、バイパス路１３３内に設けられている。
【００５７】
（給湯システム１０２の動作；図８〜図１２）
次いで、図８〜図１２を参照して、本実施例の給湯システム１０２の動作について説明する。本実施例の給湯システム１０２も、外気熱貯湯モード（図９）、浴槽熱貯湯モード（図１０）、追い焚きモード（図１１）、除霜モード（図１２）の４つの運転モードで動作することができる。
【００５８】
（外気熱貯湯モード；図８、図９）
外気熱貯湯モードは、外気熱を熱源として利用して、給湯水を加熱する運転モードである。図８に示すように、外気熱貯湯モードによる運転が指示されると、コントローラ１００は、タンクポンプ２０を動作させるとともに、圧縮機３４を動作させる。コントローラ１００は、浴槽ポンプ７６は動作させない。また、コントローラ１００は、第１四方弁１６０をＡ−Ｂ，Ｃ−Ｄ状態に切り替えるとともに、第２四方弁６２をＥ−Ｆ，Ｇ−Ｈ状態に切り替える。そして、コントローラ１００は、ファン４６の運転を開始する。また、コントローラ１００は、第１膨張弁１３８の開度を制御状態に調整する。この際、第２膨張弁１４２の開度はどの状態であってもよい。以上の各処理が行われると、外気熱貯湯モードによる運転が開始される。
【００５９】
図９は、外気熱貯湯モードの運転が行われている間の冷媒及び給湯水の動きを示す。図９に示すように、ヒートポンプユニット１３０では、圧縮機３４で圧縮された後の高温高圧の冷媒が、第１四方弁１６０を通過して給湯水熱交換器３６に供給される。給湯水熱交換器３６では、高温高圧の冷媒は、タンク循環路１８内の給湯水と熱交換を行う。これにより、給湯水が加熱される。給湯水熱交換器３６で熱交換を終えた（即ち給湯水を加熱した）後の冷媒は、第２四方弁１６２を通過して、第１膨張弁１３８によって減圧される。第１膨張弁１３８で減圧された後の低温低圧の冷媒は、外気熱交換器４４に供給される。ファン４６の運転に伴い、外気熱交換器４４では、冷媒と外気との間で熱交換が行われる。これにより、冷媒は外気熱を回収する。外気熱交換器４４で外気熱を回収した後の冷媒は、圧縮機３４に供給され、再び圧縮機３４で圧縮される。
【００６０】
一方、タンクユニット１０では、タンクポンプ２０の運転に伴い、タンク１２の底部から低温の給湯水がタンク循環路１８内に導出され、給湯水熱交換器３６に供給される。上記の通り、給湯水熱交換器３６では、タンク循環路１８内の給湯水と、高温高圧の冷媒との間で熱交換が行われ、その結果給湯水が加熱されて高温になる。加熱後の高温の給湯水は、タンク１２の頂部に戻される。外気熱貯湯モードでは、以上の運転が繰り返されることにより、タンク１２内に高温の給湯水が貯湯される。
【００６１】
（浴槽熱貯湯モード；図８、図１０）
浴槽熱貯湯モードは、浴槽熱を熱源として利用して、給湯水を加熱する運転モードである。浴槽熱貯湯モードでは、外気熱を熱源として利用しない。図８に示すように、浴槽熱貯湯モードによる運転が指示されると、コントローラ１００は、タンクポンプ２０を動作させるとともに、圧縮機３４を動作させる。また、コントローラ１００は、浴槽ポンプ７６も動作させる。コントローラ１００は、第１四方弁１６０をＡ−Ｂ，Ｃ−Ｄ状態に切り替えるとともに、第２四方弁１６２をＥ−Ｈ，Ｇ−Ｆ状態に切り替える。そして、コントローラ１００は、ファン４６を動作させない。さらに、コントローラ１００は、第１膨張弁１３８の開度を全開状態（即ち減圧を行なえない状態）に調整するとともに、第２膨張弁１４２の開度を制御状態に調整する。以上の各処理が行われると、浴槽熱貯湯モードによる運転が開始される。
【００６２】
図１０は、浴槽熱貯湯モードの運転が行われている間の冷媒、給湯水及び浴槽水の動きを示す。図１０に示すように、ヒートポンプユニット１３０では、圧縮機３４で圧縮された後の高温高圧の冷媒が、第１四方弁１６０を通過して給湯水熱交換器３６に供給される。給湯水熱交換器３６では、高温高圧の冷媒は、タンク循環路１８内の給湯水と熱交換を行う。これにより、給湯水が加熱される。給湯水熱交換器３６で熱交換を終えた（即ち給湯水を加熱した）後の冷媒は、第２四方弁１６２を通過し、バイパス路１３３に導入され、第２膨張弁１４２で減圧される。第２膨張弁１４２で減圧された後の低温低圧の冷媒は、第１四方弁１６０を経由して浴槽水熱交換器４８に供給される。浴槽水熱交換器４８では、冷媒と浴槽水との間で熱交換が行われる。これにより、冷媒は浴槽熱を回収する。浴槽水熱交換器４８で浴槽熱を回収した後の冷媒は、第２四方弁１６２、第１膨張弁１３８、外気熱交換器４４を通過して圧縮機３４に供給され、再び圧縮機３４で圧縮される。この場合、第１膨張弁１３８は全開状態であるため、第１膨張弁１３８では減圧は行われない。また、ファン４６が停止しているため、外気熱交換器４４における外気熱の回収も殆ど行われない。
【００６３】
一方、タンクユニット１０では、タンクポンプ２０の運転に伴い、タンク１２の底部から低温の給湯水がタンク循環路１８内に導出され、給湯水熱交換器３６に供給される。上記の通り、給湯水熱交換器３６では、タンク循環路１８内の給湯水と、高温高圧の冷媒との間で熱交換が行われ、その結果給湯水が加熱されて高温になる。加熱後の高温の給湯水は、タンク１２の頂部に戻される。
【００６４】
そして、浴槽ユニット７０では、浴槽ポンプ７６の運転に伴い、浴槽水が浴槽７２から導出され、浴槽水循環路７４内を循環する。浴槽水循環路７４内を循環する浴槽水は、浴槽水熱交換器４８を通過する際に、冷媒との間で熱交換を行なう。これにより、浴槽水は冷媒に熱を奪われて低温になる。低温になった浴槽水は浴槽７２に戻される。この運転が繰り返されることにより、浴槽７２内の浴槽水の熱が順次回収され、浴槽熱によって加熱された高温の給湯水がタンク１２内に貯湯される。
【００６５】
なお、図８中の説明文に示すように、本実施例でも、コントローラ１００は、浴槽熱では給湯水の加熱を十分に行えない等の状況下において、必要に応じて、バーナ８２及びバーナポンプ８６を作動させることができる。これにより、図１０に示すように、熱媒循環路８４内で熱媒が循環するとともに、バーナ８２によって熱媒が加熱される。これにより、バーナ熱交換器７８において高温の熱媒と浴槽水との間で熱交換が行われ、浴槽水が加熱される。加熱された浴槽水の熱は、浴槽水熱交換器４８における冷媒との熱交換によって冷媒に与えられる。即ち、本実施例でも、浴槽水貯湯モードで運転が行われる間に、必要に応じてバーナ８２を補助熱源機として使用して給湯水を加熱することもできる。
【００６６】
（追い焚きモード；図８、図１１）
追い焚きモードは、外気熱を熱源として利用して、浴槽熱を加熱する運転モードである。図８に示すように、追い焚きモードによる運転が指示されると、コントローラ１００は、浴槽ポンプ７６を運転させるとともに、圧縮機３４を運転させる。コントローラ１００は、タンクポンプ２０は運転させない。また、コントローラ１００は、第１四方弁１６０をＡ−Ｄ，Ｂ−Ｃ状態に切り替えるとともに、第２四方弁１６２をＥ−Ｈ，Ｇ−Ｆ状態に切り替える。そして、コントローラ１００は、ファン４６の運転を開始する。また、コントローラ１００は、第１膨張弁１３８の開度を制御状態に調整する。第２膨張弁１４２はどの状態でもよい。以上の各処理が行われると、追い焚きモードによる運転が開始される。
【００６７】
図１１は、追い焚きモードの運転が行われている間の冷媒及び浴槽水の動きを示す。図１１に示すように、ヒートポンプユニット１３０では、圧縮機３４で圧縮された後の高温高圧の冷媒が、第１四方弁１６０を通過して浴槽水熱交換器４８に供給される。浴槽水熱交換器４８では、高温高圧の冷媒は、浴槽水循環路７４内の浴槽水と熱交換を行う。これにより、浴槽水が加熱される。浴槽水熱交換器４８で熱交換を終えた（即ち浴槽水を加熱した）後の冷媒は、第２四方弁１６２を通過して第１膨張弁１３８に供給され、第１膨張弁１３８によって減圧される。第１膨張弁１３８で減圧された後の低温低圧の冷媒は、外気熱交換器４４に供給される。ファン４６の運転に伴い、外気熱交換器４４では、冷媒と外気との間で熱交換が行われる。これにより、冷媒は外気熱を回収する。外気熱交換器４４で外気熱を回収した後の冷媒は、圧縮機３４に供給され、再び圧縮機３４で圧縮される。
【００６８】
一方、浴槽ユニット７０では、浴槽ポンプ７６の運転に伴い、浴槽水が浴槽７２から導出され、浴槽水循環路７４内を循環する。浴槽水循環路７４内を循環する浴槽水は、浴槽水熱交換器４８を通過する際に、高温高圧の冷媒との間で熱交換を行なう。その結果、浴槽水が加熱されて高温になる。加熱後の高温の浴槽水は、浴槽７２に戻される。この運転が繰り返されることにより、外気熱によって加熱された高温の浴槽水が浴槽７２に貯められていく。そして、浴槽７２内の浴槽水の温度が上昇する。
【００６９】
なお、図８中の説明文に示すように、コントローラ１００は、外気熱では浴槽水の加熱を十分に行えない等の状況下では、必要に応じて、バーナ８２及びバーナポンプ８６を作動させることができる。これにより、熱媒循環路８４内で熱媒が循環するとともに、バーナ８２によって熱媒が加熱される。これにより、バーナ熱交換器７８において高温の熱媒と浴槽水との間で熱交換が行われ、浴槽水が加熱される。即ち、本実施例でも、追い焚きモードで運転が行われる間に、必要に応じてバーナ８２を補助熱源機として使用して浴槽水を加熱することもできる。
【００７０】
（除霜モード；図８、図１２）
除霜モードは、外気熱交換器４４の表面に霜が付着した場合において、その霜を融解させて取り除くための運転モードである。図８に示すように、除霜モードによる運転が指示されると、コントローラ１００は、圧縮機３４を運転させる。この場合、コントローラ１００は、タンクポンプ２０、浴槽ポンプ７６、ファン４６を運転させない。また、コントローラ１００は、第１四方弁１６０をＡ−Ｂ，Ｃ−Ｄ状態に切り替えるとともに、第２四方弁１６２をＥ−Ｆ、Ｇ−Ｈ状態に切り替える。なお、他の例では、第１四方弁１６０をＡ−Ｄ，Ｂ−Ｃ状態に切り替えるとともに、第２四方弁１６２をＥ−Ｈ，Ｇ−Ｆ状態に切り替えてもよい。また、コントローラ１００は、第１膨張弁１３８の開度を全開状態に調整する。第２膨張弁１４２はどの状態でもよい。以上の各処理が行われると、除霜モードによる運転が開始される。
【００７１】
図１２は、除霜モードの運転が行われている間の冷媒の動きを示す。図１２に示すように、ヒートポンプユニット１３０では、圧縮機３４で圧縮された後の高温高圧の冷媒が、第１四方弁６０を通過して給湯水熱交換器３６に供給される。給湯水熱交換器３６では、高温高圧の冷媒と、給湯水熱交換器３６内に滞留している給湯水との間で熱交換が行われる。これにより、高温高圧の冷媒の熱の一部が給湯水に与えられるが、冷媒は依然として相当程度に高温高圧の状態を維持する。給湯水熱交換器３６を通過した後の高温高圧の冷媒は、第２四方弁１６２、第１膨張弁１３８を通過して外気熱交換器４４に供給される。第１膨張弁１３８は全開状態であるため、減圧は行われない。高温高圧の冷媒が外気熱交換器４４に供給されることにより、外気熱交換器４４の温度が上昇し、外気熱交換器４４の外側に付着した霜が融解される。外気熱交換器４４で霜を融解したことによって低温になった冷媒は、圧縮機３４に供給され、再び圧縮機３４で圧縮される。以上の運転を繰り返すことにより、外気熱交換器４４に付着された霜が取り除かれる。
【００７２】
なお、図８中の説明文に示すように、本実施例でも、除霜モードで運転中に浴槽水の加熱（即ち追い焚き）を同時に行うべき場合には、コントローラ１００は、浴槽ポンプ７６、バーナ８２、バーナポンプ８６をさらに作動させることができる。図１２に示すように、浴槽ポンプ７６の運転に伴い、浴槽水が浴槽水循環路７４内を循環する。そして、バーナポンプ８６の運転に伴い、熱媒循環路８４内で熱媒が循環する。そして、バーナ８２により、熱媒循環路８４内で循環する熱媒が加熱される。これにより、バーナ熱交換器７８において、高温の熱媒と浴槽水との間で熱交換が行われ、浴槽水が加熱される。即ち、本実施例でも、除霜モードで運転が行われる間に、必要に応じてバーナ８２を補助熱源機として使用して浴槽水を加熱することもできる。
【００７３】
以上、本実施例の給湯システム１０２の構成及び運転内容について説明した。本実施例の給湯システム１０２によっても、第１実施例の給湯システム２と同様の作用効果を発揮することができる。
【００７４】
以上、実施例について詳細に説明したが、これらは例示に過ぎず、特許請求の範囲を限定するものではない。特許請求の範囲に記載の技術には、以上に例示した具体例を様々に変形、変更したものが含まれる。
【００７５】
（変形例１）上記の各実施例において、外気熱貯湯モード（図３、図９）で運転中に、浴槽水の加熱（即ち追い焚き）を同時に行うべき場合には、コントローラ１００は、浴槽ポンプ７６、バーナ８２、バーナポンプ８６をさらに作動させることができる。この場合、外気熱貯湯モードで運転が行われる間に、必要に応じてバーナ８２を補助熱源機として使用して浴槽水を加熱することもできる。
【００７６】
（変形例２）上記の各実施例では、給湯システム２、１０２は、熱媒循環路８４内の熱媒と、浴槽水循環路７４内の浴槽水とを熱交換するバーナ熱交換器７８を備えるが、これに限られず、バーナの燃焼熱によって浴槽水循環路内の浴槽水を直接加熱する構成を採用してもよい。その場合、バーナの燃焼熱で浴槽水が加熱される部分の浴槽水循環路が「バーナ熱交換器」の一例であってもよい。
【００７７】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７８】
２：給湯システム
１０：タンクユニット
１２：タンク
１４：給水経路
１６：出湯経路
１８：タンク循環路
２０：タンクポンプ
３０：ヒートポンプユニット
３２：冷媒循環路
３４：圧縮機
３６：給湯水熱交換器
３８：第１膨張弁
４０：第１逆止弁
４２：第２膨張弁
４４：外気熱交換器
４６：ファン
４８：浴槽水熱交換器
５０：バイパス路
５２：開閉弁
５４：第２逆止弁
６０：第１四方弁
６２：第２四方弁
７０：浴槽ユニット
７２：浴槽
７４：浴槽水循環路
７６：浴槽ポンプ
７８：バーナ熱交換器
８０：バーナユニット
８２：バーナ
８４：熱媒循環路
８６：バーナポンプ
１００：コントローラ
１０２：給湯システム
１３０：ヒートポンプユニット
１３２：冷媒循環路
１３２ａ：第１分岐路
１３２ｂ：第２分岐路
１３３：バイパス路
１３８：第１膨張弁
１４２：第２膨張弁
１６０：第１四方弁
１６２：第２四方弁
【図１】
2018162945.tif 000003
【図２】
2018162945.tif 000004
【図３】
2018162945.tif 000005
【図４】
2018162945.tif 000006
【図５】
2018162945.tif 000007
【図６】
2018162945.tif 000008
【図７】
2018162945.tif 000009
【図８】
2018162945.tif 000010
【図９】
2018162945.tif 000011
【図１０】
2018162945.tif 000012
【図１１】
2018162945.tif 000013
【図１２】
2018162945.tif 000014